(57)【要約】【課題】エレベーターに対する信頼性の向上を図ることができるエレベーターの通話管理システムを提供すること。【解決手段】エレベーター１０１のカゴ１０２に設けられたインターフォンの非常通話ボタン１０２ｃの操作がされた場合は、遠隔監視支援装置１２０から管理サーバコンピュータ１３０に対して通話要求通知を送信し、通話要求通知を受信した管理サーバコンピュータ１３０が、当該通話要求通知に基づいて、オペレーターに対して、通話に応対する旨の架電指示の入力要求をおこない、入力要求に応じた架電指示を受け付けた場合に、該当するエレベーター１０１への架電をおこなう遠隔監視システム１００を構成した。【選択図】図１
2020031441.tif 000002
【特許請求の範囲】
【請求項１】
エレベーターのカゴに設けられたインターフォンの通話要求の操作がされた場合、当該エレベーターの制御基板または当該制御基板と通信をおこなう遠隔監視支援装置が、当該通話要求の操作がされたエレベーターの識別情報を含む通話要求通知を管理サーバコンピュータに送信し、
前記管理サーバコンピュータが、前記通話要求通知を受信した場合、当該通話要求通知に基づいて、通話要求に応対する入力操作を要求する入力要求を出力し、
前記管理サーバコンピュータが、出力した入力要求に応じた架電指示を受け付けた場合、当該管理サーバコンピュータに対応する通話用機器を制御して、当該通話用機器から前記通話要求通知の送信元の前記制御基板または前記遠隔監視支援装置に対する架電をおこない、
前記制御基板または前記遠隔監視支援装置が、前記通話用機器からの架電に応じて、当該通話用機器と前記通話要求の操作がされたインターフォンの端末装置とを通話回線で接続し、
前記制御基板または前記遠隔監視支援装置は、前記管理サーバコンピュータとの通信および所定の架電先との通話回線の接続を、単一の通信用基板を制御しておこなう、
ことを特徴とするエレベーターの通話管理システム。
【発明の詳細な説明】
【技術分野】
【０００１】
この発明は、インターフォン通話が可能なエレベーターの通話管理システムに関する。
【背景技術】
【０００２】
一般的に、エレベーターのカゴには、緊急時などに、カゴの中の利用者とカゴの外（たとえば、エレベーターが設置された建物とは別の場所にある保守管理会社）にいるオペレーターとが通話ができるように、インターフォンが設けられている。このインターフォンは、たとえば、非常通話ボタンが操作された場合など、カゴの中の利用者の必要に応じて保守管理会社に接続され、当該利用者と保守管理会社のオペレーターとの通話を実現する。
【０００３】
関連する技術として、従来、たとえば、エレベーターのカゴ内に設けられた非常通話ボタンが操作された場合に、カゴ内の利用者と保守管理会社のオペレーターとの会話が可能となるようにインターフォンと保守管理会社とを電話回線を介して接続するとともに、インターフォンの音声を記録するようにした技術があった（たとえば、下記特許文献１を参照。）。
【０００４】
また、従来、エレベーターの制御基板と保守管理会社の管理サーバコンピュータとを通信可能に構成し、カゴが停止するなどした場合は、利用者の操作を介することなく、制御基板が管理サーバコンピュータにエレベーターの状態を通知するようにした技術があった。関連する技術として、従来、たとえば、エレベーターにおいて異常が発生した時にカゴ内の画像および音声を自動的に監視センタ側へ伝送し、双方向の伝送をおこなうことができるようにした技術（たとえば、下記特許文献２を参照。）があった。
【０００５】
エレベーターの利用者と保守管理会社のオペレーターとの通話や、エレベーターの制御基板と保守管理会社の管理サーバコンピュータとの通信は、常時おこなわれるものではなく、カゴが停止した場合、エレベーターに故障が生じた場合など、特定の状況に限られる。このため、従来、通話にかかる通信用基板と通信にかかる通信用基板とを兼用し、メンテナンスにかかる作業者の負担や設備にかかるコストを低減するようにした技術があった。
【先行技術文献】
【特許文献】
【０００６】
【特許文献１】特開２０００−２６０３６号公報
【特許文献２】特開平７−２５７８４２号公報
【発明の概要】
【発明が解決しようとする課題】
【０００７】
しかしながら、上述した従来の技術において、通話にかかる通信用基板と通信にかかる通信用基板とを兼用すると、通話と通信とを並行しておこなうことができない。たとえば、保守管理会社側のすべての電話機が通話中である場合などのように、保守管理会社側の通話回線が飽和している状況において、通話が開始されるまでオペレーターの呼び出しがおこなわれると、その間は、通話のみならず通信もおこなうことができず、エレベーターの状態を通知することができない。このため、上述した従来の技術は、対応に遅れを生じてしまい、利用者の不安を増長させてしまうという問題があった。
【０００８】
この発明は、上述した従来技術による問題点を解消するため、エレベーターに対する信頼性の向上を図ることができるエレベーターの通話管理システムを提供することを目的とする。
【課題を解決するための手段】
【０００９】
上述した課題を解決し、目的を達成するため、この発明にかかるエレベーターの通話管理システムは、エレベーターのカゴに設けられたインターフォンの通話要求の操作がされた場合、当該エレベーターの制御基板または当該制御基板と通信をおこなう遠隔監視支援装置が、当該通話要求の操作がされたエレベーターの識別情報を含む通話要求通知を管理サーバコンピュータに送信し、前記管理サーバコンピュータが、前記通話要求通知を受信した場合、当該通話要求通知に基づいて、通話要求に応対する入力操作を要求する入力要求を出力し、前記管理サーバコンピュータが、出力した入力要求に応じた架電指示を受け付けた場合、当該管理サーバコンピュータに対応する通話用機器を制御して、当該通話用機器から前記通話要求通知の送信元の前記制御基板または前記遠隔監視支援装置に対する架電をおこない、前記制御基板または前記遠隔監視支援装置が、前記通話用機器からの架電に応じて、当該通話用機器と前記通話要求の操作がされたインターフォンの端末装置とを通話回線で接続し、前記制御基板または前記遠隔監視支援装置は、前記管理サーバコンピュータとの通信および所定の架電先との通話回線の接続を、単一の通信用基板を制御しておこなう、ことを特徴とする。
【００１０】
また、この発明にかかるエレベーターの通話管理システムは、上記の発明において、前記管理サーバコンピュータが、前記入力要求を出力することにより、当該入力要求の出力先において、前記通話要求通知の送信元に対する架電の開始を指示する指示キーを表示させることを特徴とする。
【００１１】
また、この発明にかかるエレベーターの通話管理システムは、上記の発明において、前記管理サーバコンピュータが、前記エレベーターの識別情報ごとに、当該識別情報によって識別されるエレベーターに固有の物件情報を関連付けて記憶するデータベースを備え、前記通話要求通知を受信した場合、前記データベースを参照して、当該通話要求通知に基づいて特定される物件情報を含む入力要求を生成し、生成した入力要求を出力することにより、当該入力要求の出力先において、前記通話要求通知の送信元に対する架電の開始を指示する指示キー、および、前記通話要求通知に基づいて特定される物件情報を表示させることを特徴とする。
【００１２】
また、この発明にかかるエレベーターの通話管理システムは、上記の発明において、前記通話要求通知は、前記通話要求の操作がされた日時に関する情報を含むことを特徴とする。
【発明の効果】
【００１３】
この発明にかかるエレベーターの通話管理システムによれば、エレベーターに対する信頼性の向上を図ることができるという効果を奏する。
【図面の簡単な説明】
【００１４】
【図１】この発明にかかる実施の形態の遠隔監視システムのシステム構成を示す説明図である。
【図２】この発明にかかる実施の形態の遠隔監視システムを構成する各部のハードウエア構成を示す説明図である。
【図３】この発明にかかる実施の形態の遠隔監視システムを構成する各部の機能的構成を示すブロック図である。
【図４】操作用の端末装置のディスプレイにおける表示画面例を示す説明図である。
【図５Ａ】この発明にかかる実施の形態の遠隔監視システムにおける遠隔監視支援装置の処理手順を示すフローチャート（その１）である。
【図５Ｂ】この発明にかかる実施の形態の遠隔監視システムにおける遠隔監視支援装置の処理手順を示すフローチャート（その２）である。
【図６】この発明にかかる実施の形態の遠隔監視システムにおける管理サーバコンピュータの処理手順を示すフローチャートである。
【発明を実施するための形態】
【００１５】
以下に添付図面を参照して、この発明にかかるエレベーターの通話管理システムの好適な実施の形態を詳細に説明する。
【００１６】
（遠隔監視システムのシステム構成）
まず、この発明にかかる実施の形態のエレベーターの通話管理システムを実現する、エレベーターの遠隔監視システムのシステム構成について説明する。図１は、この発明にかかる実施の形態の遠隔監視システムのシステム構成を示す説明図である。
【００１７】
図１において、この発明にかかる実施の形態の遠隔監視システム１００は、たとえば、制御基板（制御装置）１１０と、遠隔監視支援装置１２０と、管理サーバコンピュータ１３０と、電話機１４０と、によって構成することができる。遠隔監視システム１００は、エレベーター１０１の動作を、当該エレベーター１０１の遠隔地に設置された管理サーバコンピュータ１３０を用いて監視する。管理サーバコンピュータ１３０は、遠隔監視支援装置１２０を介して、エレベーター１０１の動作を監視する。
【００１８】
管理サーバコンピュータ１３０は、監視対象となるエレベーター１０１が設置されている場所とは異なる、当該エレベーター１０１が設置されている場所から離れた遠隔地に設置されている。具体的には、管理サーバコンピュータ１３０は、たとえば、エレベーター１０１の保守管理を担う保守管理会社１５０などに設置することができる。
【００１９】
電話機１４０は、たとえば、管理サーバコンピュータ１３０が設置された保守管理会社１５０に設置される。管理サーバコンピュータ１３０および電話機１４０を保守管理会社１５０に設置することにより、エレベーター１０１のカゴ１０２の中にいる者と保守管理会社１５０のオペレーターとが直接通話することができる。
【００２０】
電話機１４０は、ＤＴＭＦ（Ｄｕａｌ  Ｔｏｎｅ  Ｍｕｌｔｉｐｌｅｘｅｄ  Ｆｒｅｑｕｅｎｃｙ）ダイヤラーを備えている。ＤＴＭＦダイヤラーは、ＤＴＭＦ信号音を発するスピーカー（音声回路の送話器、マイクロフォン）と音響接続されており、発生させたＤＴＭＦ信号音をスピーカーを介して公衆音声網などのネットワークに送出する。ＤＴＭＦダイヤラーなど、電話機１４０の構成については、公知の技術であるため説明を省略する。
【００２１】
エレベーター１０１は、複数階建てのビル内などに設置され、人や物品を搭載するカゴ（乗りかご）１０２を備えている。カゴ１０２は、１台のエレベーター１０１に１つずつ設けられている。カゴ１０２は、建物における各階床を、鉛直方向に沿って貫通する昇降路（図示を省略する）内に設けられている。エレベーター１０１は、たとえば、ロープ式（トラクション式）のエレベーターによって実現することができる。
【００２２】
この発明にかかる実施の形態の遠隔監視システム１００により監視可能なエレベーター１０１は、ロープ式のエレベーターに限るものではない。この発明にかかる実施の形態の遠隔監視システム１００においては、ロープ式のエレベーター１０１に代えて、あるいは、ロープ式のエレベーター１０１に加えて、たとえば、油圧式のエレベーター１０１を監視対象としてもよい。
【００２３】
カゴ１０２には、行先階ボタンや扉開閉ボタンなどを含む操作ボタン、カゴ１０２が位置する階床などを表示する表示器などを備えた操作盤１０２ａが設けられている。カゴ１０２に設けられた操作盤１０２ａは、操作盤１０２ａ用の制御基板を備えており、当該操作盤１０２ａ用の制御基板を介して制御基板１１０に接続されている。
【００２４】
また、カゴ１０２には、インターフォンの端末装置１０２ｂが設けられている。インターフォンの端末装置１０２ｂは、非常通話ボタン１０２ｃとマイクとスピーカーとを備えている（いずれも図示を省略する）。インターフォンの端末装置１０２ｂは、遠隔監視支援装置１２０に接続されている。
【００２５】
上記の操作ボタンは、カゴ１０２の外部の管理人やオペレーターなどとの通話時に操作される非常通話ボタン１０２ｃを含んでいる。操作盤１０２ａ用の制御基板は、非常通話ボタン１０２ｃが操作された場合に、非常通話ボタン１０２ｃが操作されたことを示す信号（呼出信号）を、インターフォンの端末装置１０２ｂの外部（この実施の形態においては、遠隔監視支援装置１２０）に出力する。
【００２６】
この実施の形態においては、非常通話ボタン１０２ｃの操作によって、この発明にかかる通話要求の操作を実現することができる。これにより、遠隔監視システム１００は、エレベーター１０１のカゴ１０２に設けられたインターフォンの通話要求の操作がされた場合に所定の架電先へ架電することができる。
【００２７】
昇降路には、カゴ１０２の昇降動作にかかわる駆動機構１０４が設けられている。駆動機構１０４は、たとえば、昇降路における上部に設けることができる。駆動機構１０４は、巻上機、滑車、ロープ１０４ａ、カウンタウエイト１０４ｂなどによって構成されている。駆動機構１０４は、さらに、電磁ブレーキや調速機などを備えている（いずれも図示を省略する）。
【００２８】
駆動機構１０４は、公知の技術を用いて容易に実現可能であるため説明を省略する。駆動機構１０４は、昇降路における上部に設けられるものに限らない。駆動機構１０４は、たとえば、油圧式のエレベーター１０１の場合は、昇降路における底部（ピット）に設けられていてもよい。
【００２９】
カゴ１０２はロープ１０４ａの一端に連結され、カウンタウエイト１０４ｂはロープ１０４ａの他端に連結されている。ロープ式のエレベーター１０１においては、両端にカゴ１０２およびカウンタウエイト１０４ｂが連結されたロープ１０４ａをつるべ式に滑車および巻上機にかけた状態で当該巻上機を駆動し、ロープ１０４ａと滑車との間の摩擦力（トラクション）を利用してカゴ１０２を昇降させる。昇降路には、カゴ１０２の昇降位置をガイドするガイドレール（図示を省略する）が設けられている。
【００３０】
昇降路における各階床に対応した位置（乗り場）１０５およびカゴ１０２には、それぞれ扉１０５ａ、１０２ｄが設けられている。カゴ１０２には、当該カゴ１０２に設けられた扉１０２ｄおよび乗り場１０５に設けられた扉１０５ａを開閉させるモーター（図示を省略する）が設けられている。扉１０５ａ、１０２ｄを開閉させるモーターは、制御基板１１０に接続されている。
【００３１】
制御基板１１０は、たとえば、カゴ１０２が走行を開始する場合に、走行開始信号を出力する。制御基板１１０は、たとえば、走行中のカゴ１０２が走行を停止した場合に、走行停止信号を出力する。走行開始信号は、たとえば、カゴ１０２が走行を開始したことを通知する専用の信号によって実現することができる。あるいは、走行開始信号や走行停止信号は、たとえば、巻上機に対して出力される駆動信号によって実現してもよい。
【００３２】
乗り場１０５に設けられた扉１０５ａは、インターロックなどと称される装置で施錠されている。エレベーター１０１が停止階に到着した状態でモーターを駆動すると、カゴ１０２に設けられた扉１０２ｄの駆動機構部分とインターロックとがかみ合ってインターロックによる施錠が解放され、カゴ１０２に設けられた扉１０２ｄおよび乗り場１０５に設けられた扉１０５ａが連動して開閉する。これにより、乗り場１０５に設けられた扉１０５ａは、カゴ１０２が各階床における停止位置に停止していない場合は閉じた状態とされる。
【００３３】
エレベーター１０１は、扉１０２ｄ、１０５ａの開閉を検出する扉開閉センサ（図示を省略する）を備えている。扉開閉センサは、扉１０２ｄ、１０５ａが開状態にあるか閉状態にあるかに応じて出力が変化する。扉開閉センサは、たとえば、マイクロスイッチや光電センサなどによって実現することができる。扉開閉センサは配線を介して制御基板１１０に接続されており、扉開閉センサから出力された信号は当該配線を介して制御基板１１０に入力される。
【００３４】
各乗り場１０５には、乗り場呼びボタン（図示を省略する）やカゴ１０２が位置する階床などを表示する表示器などを備えた操作盤１０５ｂが、それぞれ設置されている。各乗り場１０５に設けられた操作盤１０５ｂは、それぞれ、操作盤１０５ｂ用の制御基板を備え、当該操作盤１０５ｂ用の制御基板を介して制御基板１１０に接続されている。
【００３５】
遠隔監視支援装置１２０は、たとえば、エレベーター１０１の制御基板１１０を収容する筐体や、昇降路の壁などに取り付けることができる。遠隔監視支援装置１２０は、主制御基板１２１と通信用基板１２２とを備えている。主制御基板１２１は、制御基板１１０に接続されている。また、主制御基板１２１は、通信用基板１２２に接続されている。通信用基板１２２は、具体的には、たとえば、ＰＨＳ（Ｐｅｒｓｏｎａｌ  Ｈａｎｄｙ−ｐｈｏｎｅ  Ｓｙｓｔｅｍ）基板によって実現することができる。
【００３６】
通信用基板１２２は、インターフォンの端末装置１０２ｂおよび公衆音声網に接続されている。公衆音声網は、固定電話網（公衆交換電話網）および携帯電話網を含む。公衆音声網は、電話線を収容する加入者線交換機、加入者線交換機を束ねる中継交換機、ほかの事業者の電話網と接続する関門交換機など、図示を省略する複数の交換機によって構成されている。公衆音声網については、公知の技術であるため説明を省略する。
【００３７】
ＰＨＳ基板などによって実現される通信用基板１２２は、音声通信に用いるとともにデータ通信にも用いることができる。この実施の形態において、遠隔監視支援装置１２０における主制御基板１２１は、通信用基板１２２により接続されるインターネットなどのネットワーク１６０を介して、管理サーバコンピュータ１３０に接続されている。主制御基板１２１と管理サーバコンピュータ１３０とを、電話回線などの公衆音声網などのネットワーク１６０に加えて（あるいは代えて）インターネットなどのネットワーク１６０を介して接続することにより、緊急時に電話回線がパンクすることによってエレベーター１０１の状況把握が遅延することを防止し、迅速な対応をとることができる。
【００３８】
エレベーター１０１の設置場所は固定であるため、遠隔監視システム１００においては、ＰＨＳを利用した通信をおこなう場合にも通信の品質を確保することができ、品質の安定した通話や通信をおこなうことができる。そして、遠隔監視システム１００においては、ＰＨＳを利用した通信をおこなうことにより、通信の品質を確保するとともに通信にかかるコストを抑えることができる。
【００３９】
管理サーバコンピュータ１３０は、たとえば、ＣＰＵ、ＲＯＭやＲＡＭあるいはＨＤなどの記憶媒体、外部装置とのインターフェイス（いずれも図示を省略する）などを備えたコンピュータ装置によって実現することができる。具体的には、管理サーバコンピュータ１３０は、たとえば、パーソナルコンピュータなどのコンピュータ装置によって実現することができる。管理サーバコンピュータ１３０は、キーボードやマウスなどの入力デバイスや、ディスプレイなどを備えていてもよい。
【００４０】
管理サーバコンピュータ１３０の記憶媒体は、たとえば、エレベーター１０１の識別情報と、当該識別情報によって識別されるエレベーター１０１の物件情報と、を関連付けて記憶するデータベース（図示を省略する）を備える。物件情報は、たとえば、エレベーター１０１の設置場所、名称あるいは管理番号などの情報によって実現することができる。
【００４１】
エレベーター１０１の設置場所は、たとえば、「○○県××市△△ビル」、「○○県××市△丁目○番地」のように示される。エレベーター１０１の名称は、たとえば、「○○県××市△△ビル  １号エレベーター」、「ショッピングセンター○○  △△店」などのように、保守管理会社１５０側が任意に設定することができる。管理番号も同様に、保守管理会社１５０側が任意に設定することができる。外部装置とのインターフェイスは、遠隔監視支援装置１２０などの外部装置との間で情報通信をおこなうインターフェイスや、インターフォンの端末装置１０２ｂとの間で音声通信をおこなうための音声通信用の基板を含む。
【００４２】
管理サーバコンピュータ１３０には、操作用の端末装置１３１が接続されていてもよい。管理サーバコンピュータ１３０と操作用の端末装置１３１とは、同じ場所に設置されていてもよく、異なる場所に設置されていてもよい。操作用の端末装置１３１は、１台であってもよく、複数台であってもよい。具体的には、操作用の端末装置１３１は、たとえば、キーボードやマウスなどの入力デバイス１３１ａや、ディスプレイ１３１ｂなどを備えたパーソナルコンピュータなどのコンピュータ装置によって実現することができる。また、管理サーバコンピュータ１３０や操作用の端末装置１３１には、エレベーター１０１の状態を記載した報告書などを出力するためのプリンタ（図示を省略する）が接続されていてもよい。
【００４３】
保守管理会社１５０には、管理サーバコンピュータ１３０および電話機１４０に加えて、ＰＢＸ（Ｐｒｉｖａｔｅ  Ｂｒａｎｃｈ  ｅＸｃｈａｎｇｅ、図２における符号２０５を参照）を設置することができる。ＰＢＸについては、公知の技術によって容易に実現可能であるため説明を省略する。電話機１４０は、ＰＢＸを介して公衆音声網に接続されている。遠隔監視システム１００においてはＰＢＸを設けず、電話機１４０を公衆音声網に直接接続してもよい。
【００４４】
（遠隔監視システム１００のハードウエア構成）
つぎに、この発明にかかる実施の形態の遠隔監視システム１００を構成する各部のハードウエア構成について説明する。図２は、この発明にかかる実施の形態の遠隔監視システム１００を構成する各部のハードウエア構成を示す説明図である。
【００４５】
図２において、制御基板１１０は、エレベーター１０１を構成する各部を駆動制御することにより、エレベーター１０１の運行動作を制御する。制御基板１１０は、エレベーター１０１が備える各部に対して制御用の信号を出力するとともに、当該各部から出力された信号に基づいて、エレベーター１０１の運行動作を制御する。
【００４６】
上述した操作盤１０２ａ用の制御基板は、エレベーター１０１の利用者などによる操作ボタンに対する入力操作を受け付けるごとに、当該入力操作に応じた呼び信号を生成し、生成した呼び信号を制御基板１１０に出力する。制御基板１１０は、たとえば、操作盤１０２ａ用の制御基板から出力された呼び信号に基づいて、駆動機構１０４を駆動制御する制御用の信号を出力することによってエレベーター１０１の運行動作を制御する。
【００４７】
具体的には、制御基板１１０は、たとえば、操作盤１０２ａ用の制御基板から出力された呼び信号に基づいて、巻上機に対する制御用の信号を生成し、生成した制御用の信号を巻上機に対して出力する。これにより、巻上機は、カゴ１０２を上昇あるいは下降させる方向に回転駆動する。巻上機は、たとえば、インバーターを用いて制御されており、カゴ１０２を停止させる階床において回転を停止するように制御基板１１０によって駆動制御される。
【００４８】
制御基板１１０は、巻上機に制御用の信号を出力するごとに、当該制御用の信号にしたがって動作した巻上機や各モーターの回転数を取得する。巻上機や各モーターの回転数は、たとえば、エンコーダなどを用いて取得することができる。これにより、制御基板１１０は、巻上機に対して出力した制御用の信号にしたがって、当該巻上機が正常に動作したか否かを判断することができる。
【００４９】
また、具体的には、制御基板１１０は、たとえば、操作盤１０２ａ用の制御基板から出力された呼び信号に基づいて、カゴ１０２を所定の階床において停止させるようにブレーキを動作させる制御用の信号を生成し、生成した制御用の信号をブレーキに対して出力する。ブレーキは、制御基板１１０から出力された制御用の信号にしたがって、カゴ１０２の昇降動作を停止させ、当該カゴ１０２を所定の階床において停止させるように動作する。これにより、カゴ１０２を所定の階床において停止させることができる。
【００５０】
制御基板１１０は、ブレーキに対して制御用の信号を出力するごとに、ブレーキの動作に応じて出力が変化するブレーキセンサからの出力信号を取得する。ブレーキセンサは、たとえば、マイクロスイッチや光電センサなどによって実現することができる。これにより、制御基板１１０は、ブレーキに対して出力した制御用の信号にしたがって、当該ブレーキが正常に動作したか否かを判断することができる。
【００５１】
また、具体的には、制御基板１１０は、たとえば、操作盤１０２ａ用の制御基板から出力された呼び信号に基づいて、ブレーキによってカゴ１０２を停止させた階床において扉１０２ｄ、１０５ａを開閉させる制御用の信号を生成し、生成した制御用の信号をカゴ１０２の扉１０２ｄや乗り場１０５の扉１０５ａを開閉させるモーターに対して出力する。これにより、カゴ１０２が停止した階床において、扉１０２ｄ、１０５ａを開閉させることができる。上記のように、扉１０５ａを開閉させるモーターは、インターロックなどと称される装置で施錠されているため、扉１０５ａが完全に閉まっていない場合は動作しない。
【００５２】
制御基板１１０は、扉１０２ｄ、１０５ａを開閉させるモーターに制御用の信号を出力するごとに、扉開閉センサからの出力信号を取得する。これにより、制御基板１１０は、該当する扉１０２ｄ、１０５ａを開閉させるモーターに対して出力した制御用の信号にしたがって、当該扉１０２ｄ、１０５ａが正常に動作したか否かを判断することができる。
【００５３】
また、制御基板１１０は、たとえば、操作盤１０２ａ用の制御基板に対して、カゴ１０２が位置する階床を示す階床信号を含む制御用の信号を出力する。カゴ１０２が位置する階床は、たとえば、昇降路中において階床ごとに設けられたセンサ（図示を省略する）からの出力信号に基づいて特定することができる。操作盤１０２ａ用の制御基板は、階床信号を含む制御用の信号を受け付けると、受け付けた制御用の信号に基づいて表示器を制御して、カゴ１０２が位置する階床や移動方向（上昇中か下降中か）などを表示する。
【００５４】
制御基板１１０は、操作盤１０２ａ用の制御基板や操作盤１０５ｂ用の制御基板に対して、たとえば、カゴ１０２の位置が切り替わるごとに階床信号を含む制御用の信号を出力する。あるいは、制御基板１１０は、操作盤１０２ａ用の制御基板や操作盤１０５ｂ用の制御基板に対して、たとえば、カゴ１０２の位置にかかわらず、定期的に階床信号を含む制御用の信号を出力するものであってもよい。
【００５５】
操作盤１０５ｂ用の制御基板は、操作盤１０２ａ用の制御基板と同様に、エレベーター１０１の利用者などによる乗り場呼びボタンに対する入力操作を受け付けるごとに、当該入力操作に応じた呼び信号を生成し、生成した呼び信号を制御基板１１０に出力する。操作盤１０５ｂ用の制御基板から呼び信号が出力された場合、制御基板１１０は、操作盤１０２ａ用の制御基板から信号が出力された場合と同様に、操作盤１０５ｂ用の制御基板から出力された信号に基づいて各種の制御用の信号を生成し、生成した制御用の信号を該当する各部に出力することによってエレベーター１０１の運行動作を制御する。
【００５６】
制御基板１１０は、操作盤１０２ａや操作盤１０５ｂから出力された信号に応じてカゴ１０２を昇降動作させるごとに、当該カゴ１０２を昇降動作させるために各部を起動したことを示す起動信号を出力する。制御基板１１０は、たとえば、１階から２階に移動した場合、起動信号を１回出力する。また、制御基板１１０は、たとえば、１階から途中で停止することなく５階に移動した場合、起動信号を１回出力する。また、制御基板１１０は、たとえば、１階から、途中の３階で停止した（扉の開閉をおこなった）後に、５階に移動する場合、起動信号を２回出力する。
【００５７】
制御基板１１０は、カゴ１０２を昇降動作させるごとに、カゴ１０２の走行距離や走行時間を算出してもよい。カゴ１０２の走行距離は、たとえば、起動回数に基づいて算出することができる。また、カゴ１０２の走行時間は、たとえば、上記の階床信号に基づいて算出することができる。具体的には、たとえば、カゴ１０２が１階にいる状態で４階の乗り場１０５の操作盤１０５ｂから呼びの操作を受け付けた場合、カゴ１０２は１階から４階までの３階床分を移動する。
【００５８】
制御基板１１０は、図示を省略するメモリを備え、起動信号が出力されるごとに、当該起動信号が出力された回数すなわち起動回数をメモリに記憶する。制御基板１１０は、起動回数に代えて、あるいは起動回数に加えて、カゴ１０２の昇降動作や扉１０５ａ、１０２ｄの開閉動作に際して駆動した各部の運行動作の履歴をメモリに記憶してもよい。具体的には、制御基板１１０は、たとえば、起動回数、カゴ１０２の走行距離、カゴ１０２の走行時間、カゴ１０２の昇降動作や扉１０５ａ、１０２ｄの開閉動作に際して動作した各種リレーの動作回数などに関する情報を運行動作の履歴としてメモリに記憶してもよい。
【００５９】
また、制御基板１１０は、扉開閉センサの出力値に基づいて、扉１０２ｄ、１０５ａが開状態にあるか閉状態にあるかを判断する。制御基板１１０は、自身が出力した扉１０２ｄ、１０５ａを開閉させる制御用の信号と扉開閉センサの出力値とに基づいて、扉１０２ｄ、１０５ａを開閉させる制御用の信号を出力したことに応じて、当該扉１０２ｄ、１０５ａが実際に開閉したかどうかを判断することができる。
【００６０】
また、制御基板１１０は、エレベーター１０１の運転モードが変化した場合に、当該運転モードが切り替わったことを示す信号（発報用の信号）を出力する。制御基板１１０は、具体的には、たとえば、エレベーター１０１の運転モードが、通常の運転モードから通常の運転モード以外の運転モードに切り替わった場合に、当該運転モードの切り替わりがあったことを外部に通知する信号（発報用の信号）、あるいは、切り替わった後の運転モード（通常の運転モード以外の運転モードであること）を通知する信号（発報用の信号）を出力（発報）する。
【００６１】
また、制御基板１１０は、具体的には、たとえば、エレベーター１０１の運転モードが、通常の運転モード以外の運転モードから通常の運転モードに切り替わった場合に、当該運転モードの切り替わりがあったことを外部に通知する信号（発報用の信号）、あるいは、切り替わった後の運転モード（通常の運転モードであること）を通知する信号（発報用の信号）を出力（発報）する。
【００６２】
また、制御基板１１０は、エレベーター１０１において障害を検知した場合に、当該障害の発生を通知する信号（発報用の信号）を出力（発報）する。具体的には、制御基板１１０は、たとえば、扉１０５ａ、１０２ｄを開閉動作させる制御用の信号を出力したにもかかわらず、扉開閉センサの出力値に基づいて該当する扉１０５ａ、１０２ｄが動作しないことを検出した場合に、エレベーター１０１における該当する扉１０５ａ、１０２ｄにかかる障害が発生したことを通知する信号（発報用の信号）を出力する。
【００６３】
制御基板１１０は、たとえば、制御基板１１０と外部装置とを接続する配線を介して、発報用の信号を、制御基板１１０の外部に出力（発報）することができる。より具体的には、制御基板１１０は、たとえば、制御基板１１０と外部装置とを接続する配線が、制御基板１１０に接続される接点を介して、発報用の信号を、制御基板１１０の外部に出力（発報）することができる。
【００６４】
制御基板１１０は、たとえば、制御基板１１０に設けられた端子を介して、発報用の信号を、制御基板１１０の外部に出力してもよい。具体的には、制御基板１１０は、たとえば、エレベーター１０１の外部装置との間で通信をおこなう通信用の端子を介して、発報用の信号を、制御基板１１０の外部に出力することができる。あるいは、具体的には、制御基板１１０は、たとえば、制御基板１１０に設けられて、当該制御基板１１０に診断用の端末装置を接続可能な端子（以下「保守点検用の端子」という）を介して、発報用の信号を、制御基板１１０の外部に出力してもよい。
【００６５】
インターフォンの端末装置１０２ｂは、非常通話ボタン１０２ｃが操作された場合に、当該操作があったことを示す呼出信号を、遠隔監視支援装置１２０に出力する。呼出信号は、主制御基板１２１が備える中継基板２０１に入力される。呼出信号は、中継基板２０１に加えて、あるいは、中継基板２０１に代えて、監視制御基板２０２に直接入力されるものであってもよい。
【００６６】
呼出信号は、中継基板２０１に加えて、あるいは、中継基板２０１に代えて、通信用基板１２２に直接入力することにより、主制御基板１２１が備える監視制御基板２０２が、何らかの原因により動作しない場合にも、インターフォンの端末装置１０２ｂと電話機１４０との間において音声通信（通話）をおこなうことができる。
【００６７】
インターフォンの端末装置１０２ｂは、遠隔監視支援装置１２０（通信用基板１２２）を介して電話機１４０との接続が確立された状態で、マイクに入力された音声信号を、遠隔監視支援装置１２０に出力する。また、インターフォンの端末装置１０２ｂは、遠隔監視支援装置１２０（通信用基板１２２）を介して電話機１４０との接続が確立された状態で、遠隔監視支援装置１２０から出力された音声信号を、スピーカーを介して出力する。これにより、カゴ１０２の中の利用者は、インターフォンの端末装置１０２ｂを介して、保守管理会社１５０における電話機１４０のオペレーターと直接会話（直話）をすることができる。
【００６８】
遠隔監視支援装置１２０が備える主制御基板１２１は、上記の中継基板２０１や監視制御基板２０２に加えて、たとえば、メモリ２０３と、通信Ｉ／Ｆ（インターフェイス）２０４と、によって構成することができる。遠隔監視支援装置１２０は、制御基板１１０からエレベーター１０１が備える各部に対して出力された信号（制御用の信号）、発報用の信号、呼出信号などの各種の信号を、中継基板２０１を介して取得する。
【００６９】
中継基板２０１は、入力を受け付けた信号を解析し、解析結果を主制御基板１２１が備える監視制御基板２０２に出力する。制御基板１１０から出力される各種の信号は、エレベーター１０１の機種などに応じて異なる。中継基板２０１は、解析に際して、制御基板１１０から出力される各種の信号を、監視制御基板２０２が処理可能なフォーマットに変換する。中継基板２０１は、入力を受け付けた信号を解析して、監視制御基板２０２が処理可能なフォーマットに変換する。これにより、エレベーター１０１の機種の違いにかかわらず、当該エレベーター１０１の遠隔監視をおこなうことができる。
【００７０】
監視制御基板２０２は、中継基板２０１から出力された解析結果を、メモリ２０３に記憶する。監視制御基板２０２は、中継基板２０１が入力を受け付けた信号を、解析をしない状態で、直接メモリ２０３に記憶してもよい。メモリ２０３は、電源の供給が絶たれた場合にも記憶した情報を保持する不揮発性の記憶媒体によって実現することができる。具体的には、メモリ２０３は、たとえば、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）などによって実現することができる。
【００７１】
監視制御基板２０２は、中継基板２０１から出力された解析結果に基づいて各種の通知情報を生成する。遠隔監視支援装置１２０は、監視制御基板２０２が生成した通知情報を、通信Ｉ／Ｆ２０４を介して通信用基板１２２に出力する。通信用基板１２２は、監視制御基板２０２から出力された通知情報を、管理サーバコンピュータ１３０へ送信する。
【００７２】
具体的には、監視制御基板２０２は、発報用の信号の入力を受け付けた場合に、運転モードの切り替わりがあったことを外部に通知する通知情報や障害の発生を通知する通知情報を生成する。この場合の通知情報は、エレベーター１０１の状態に関する情報や、当該通知情報の送信元となるエレベーター１０１の識別情報などを含む。
【００７３】
エレベーター１０１の状態に関する情報は、たとえば、カゴ１０２の昇降方向やカゴ１０２の移動先となる階床、移動先となる階床においてカゴ１０２が停止したか否か、扉１０５ａ、１０２ｄを開閉させるモーターの動作の有無、などを示す情報を含む。また、エレベーター１０１の状態に関する情報は、たとえば、カゴ１０２が現在位置する階床、各種の安全装置の作動の有無などを示す情報を含んでいてもよい。また、エレベーター１０１の状態に関する情報は、たとえば、運転モードを示す情報を含んでいてもよい。
【００７４】
エレベーター１０１の識別情報は、たとえば、当該エレベーター１０１の製造番号であってもよいし、当該エレベーター１０１の設置場所（住所など）に基づいて設定される番号であってもよいし、当該エレベーター１０１の保守点検をおこなう作業者などが任意に設定した番号であってもよい。エレベーター１０１の識別情報は、所定桁数の数字やアルファベットなどの文字を組み合わせて構成することができる。
【００７５】
遠隔監視支援装置１２０は、制御用の信号、発報用の信号、呼出信号などの各種の信号を、以下の各種の方法によって取得することができる。具体的には、遠隔監視支援装置１２０は、たとえば、制御基板１１０に設けられたリレーと中継基板２０１とを接続し、制御基板１１０から出力された制御用の信号に応じて出力（出力状態）が変化するリレーからの出力を、主制御基板１２１において取得する。この場合、遠隔監視支援装置１２０は、制御基板１１０から出力された制御用の信号を、リレーから、中継基板２０１を介して、主制御基板１２１において取得することができる。
【００７６】
リレーは、制御基板１１０による制御対象となる各部に対応して設けられ、エレベーター１０１が備える各部の状態に応じて出力状態が変化する（たとえばＯＮ／ＯＦＦする）。リレーは、たとえば、電磁石により接点を物理的に動かして開閉する電磁リレーを用いることができる。電磁リレーの接点は、たとえば、メーク（電流を流したときに接点が閉じる）接点であってもよく、ブレーク（電流を流したときに接点が開く）接点であってもよい。また、電磁リレーの接点は、たとえば、トランスファ（電流を流すことで複数の接点を切り替える）接点であってもよく、ラチェット（電流を流すたびに接点の開閉を切り替える）接点であってもよい。また、リレーは、たとえば、ソリッドステートリレーやプログラムリレーを用いてもよい。
【００７７】
遠隔監視支援装置１２０は、たとえば、リレーに接続された配線に接続され、当該配線からの出力を、主制御基板１２１において取得してもよい。この場合も、遠隔監視支援装置１２０は、制御基板１１０から出力された制御用の信号を、リレー（リレーに接続された配線）から、中継基板２０１を介して、主制御基板１２１において取得することができる。
【００７８】
具体的には、遠隔監視支援装置１２０は、たとえば、制御基板１１０に対してリレーを支持する足（制御基板１１０とリレーとを接続する配線）に、制御基板１１０と主制御基板１２１（中継基板２０１）との接点を設け、当該接点を介して制御基板１１０に接続することができる。接点は、制御基板１１０からリレーに入力する信号用の足（制御基板１１０とリレーとを接続する配線）に設けることができる。この接点は、リレーから制御基板１１０に出力される信号用の足（制御基板１１０とリレーとを接続する配線）に設けてもよい。これにより、制御基板１１０から出力された制御用の信号に応じて出力（出力状態）が変化するリレーからの出力を、接点を介して取得し、当該接点から中継基板２０１を介して主制御基板１２１において取得することができる。
【００７９】
また、遠隔監視支援装置１２０は、制御基板１１０からエレベーター１０１が備える各部に対して出力した制御用の信号（以下、適宜「下り信号」という）や、当該下り信号に応じてエレベーター１０１が備える各部から出力されて制御基板１１０に入力された信号（以下、適宜「上り信号」という）を取得してもよい。
【００８０】
この場合、具体的には、遠隔監視支援装置１２０は、たとえば、エレベーター１０１が備える各部に対応して制御基板１１０に設けられたＩＣチップの足（制御基板１１０とＩＣチップとを接続する配線）に、制御基板１１０と主制御基板１２１（中継基板２０１）との接点を設け、当該接点を介して制御基板１１０に接続する。この場合の接点は、制御基板１１０からＩＣチップに入力する信号用の足（制御基板１１０とＩＣチップとを接続する配線）に設けてもよく、ＩＣチップから制御基板１１０に出力される信号用の足（制御基板１１０とＩＣチップとを接続する配線）に設けてもよい。これにより、遠隔監視支援装置１２０は、下り信号や上り信号を接点を介して取得し、当該接点から中継基板２０１を介して主制御基板１２１において取得することができる。
【００８１】
制御基板１１０においては、エレベーター１０１が備える各部の動作状態を作業者などが目視によって確認できるように、エレベーター１０１が備える各部の動作に連動して点灯したり消灯したりするＬＥＤが設けられている場合がある。この場合、遠隔監視支援装置１２０は、たとえば、ＬＥＤの点灯／消灯に応じて出力が変化する光電センサ（図示を省略する）を備え、当該光電センサと中継基板２０１とを接続し、中継基板２０１を介して当該光電センサの出力値を主制御基板１２１において取得することにより、制御基板１１０から出力された制御用の信号を取得するようにしてもよい。
【００８２】
また、遠隔監視支援装置１２０における主制御基板１２１（中継基板２０１）は、たとえば、制御基板１１０と制御用の信号の出力先となる各部とを接続する配線が制御基板１１０に接続される接点（ターミナル）に接続することができる。これにより、遠隔監視支援装置１２０は、制御基板１１０における配線との接点（ターミナル）から、中継基板２０１を介して、制御用の信号を取得することができる。この場合の接点（ターミナル）は、制御基板１１０上に設けられているものに限らず、制御基板１１０と制御用の信号の出力先となる各部とを接続する配線の途中において、遠隔監視支援装置１２０における中継基板２０１と接続されるものであってもよい。
【００８３】
あるいは、遠隔監視支援装置１２０における主制御基板１２１（中継基板２０１）は、制御基板１１０と、当該制御基板１１０からの制御用の信号の出力先となる各部とを接続する配線を分岐させる配線（分岐線）に接続してもよい。エレベーター１０１が備える各部と制御基板１１０とを接続する配線（信号線）１１１ａと分岐線との分岐位置には、制御基板１１０から出力された制御用の信号を２方向へ分岐する分岐コネクタを設けてもよい。これにより、遠隔監視支援装置１２０を、分岐コネクタを介して、制御基板１１０に容易に接続することができる。
【００８４】
具体的には、たとえば、制御基板１１０からの制御用の信号の出力先となる各部（たとえば駆動機構１０４）と制御基板１１０とを接続する配線１１１ａに取り付けられて、当該配線１１１ａによって伝達される各種の信号を取得する基板１２３ａを設け、当該基板１２３ａと主制御基板１２１（中継基板２０１）とを配線２００を介して接続してもよい。これによって、たとえば駆動機構１０４と、遠隔監視支援装置１２０の主制御基板１２１とを接続することができる。このように接続することにより、遠隔監視支援装置１２０は、駆動機構１０４と制御基板１１０との間における下り信号や上り信号を取得することができる。
【００８５】
また、具体的には、たとえば、乗り場１０５の操作盤１０５ｂと制御基板１１０とを接続する信号線１１１ｂに取り付けられて、当該信号線１１１ｂによって伝達される各種の信号を取得する基板１２３ｂを設け、当該基板１２３ｂと主制御基板１２１（中継基板２０１）とを配線２００を介して接続してもよい。これによって、遠隔監視支援装置１２０の主制御基板１２１と乗り場１０５の操作盤１０５ｂとを接続することができる。このように接続することにより、遠隔監視支援装置１２０は、制御基板１１０と乗り場１０５の操作盤１０５ｂとの間における下り信号や上り信号を取得することができる。
【００８６】
また、具体的には、たとえば、カゴ１０２の操作盤１０２ａと制御基板１１０とを接続する信号線１１１ｃに取り付けられて、当該信号線１１１ｃによって伝達される各種の信号を取得する基板１２３ｃを設け、当該基板１２３ｃと主制御基板１２１（中継基板２０１）とを配線２００を介して接続してもよい。これによって、遠隔監視支援装置１２０の主制御基板１２１とカゴ１０２の操作盤１０２ａとを接続することができる。このように接続することにより、遠隔監視支援装置１２０は、制御基板１１０とカゴ１０２の操作盤１０２ａの間における下り信号や上り信号を取得することができる。
【００８７】
また、具体的には、監視制御基板２０２は、たとえば、呼出信号の入力を受け付けた場合に、通知情報として、非常通話ボタン１０２ｃの操作があったことを通知する通話要求通知を生成する。通話要求通知は、たとえば、カゴ１０２において非常通話ボタン１０２ｃが操作されるごとに生成される。この場合の通知情報は、当該通知情報の送信元となるエレベーター１０１の識別情報や、当該エレベーター１０１において非常通話ボタン１０２ｃの操作があったことを示す情報などを含む。この場合も、遠隔監視支援装置１２０は、監視制御基板２０２が生成した通知情報を、通信Ｉ／Ｆ２０４や通信用基板１２２を介して管理サーバコンピュータ１３０へ送信する。
【００８８】
また、遠隔監視支援装置１２０は、インターフォンの端末装置１０２ｂから出力された呼出信号の入力を受け付けた場合、公衆音声網やＰＢＸ２０５を介して、電話機１４０に対して、通話のための呼出信号を送出する。具体的には、まず、通信用基板１２２が接続可能な発信者側の交換機に対して、通話のための呼出信号を送出する。発信者側の交換機は、電話機１４０と接続された着信側の交換機を介して、電話機１４０に対して通話のための呼出信号を送出する。これにより、電話機１４０が発呼され、当該発呼に応じた電話機１４０のオペレーターの操作によって、インターフォンの端末装置１０２ｂと電話機１４０との間において通話回線が接続され、音声通信（通話）をおこなうことができる。
【００８９】
また、具体的には、監視制御基板２０２は、たとえば、非常通話ボタン１０２ｃの操作に応じた架電における所定の架電先である電話機１４０との通話回線が切断された場合に、通知情報として、電話機１４０との通話が終了したことを通知する通話終了通知を生成する。この場合の通知情報は、当該通知情報の送信元となるエレベーター１０１の識別情報や、当該エレベーター１０１において電話機１４０との通話が終了したことを示す情報などを含む。この場合も、遠隔監視支援装置１２０は、監視制御基板２０２が生成した通知情報を、通信Ｉ／Ｆ２０４や通信用基板１２２を介して管理サーバコンピュータ１３０へ送信する。
【００９０】
遠隔監視システム１００においては、エレベーター１０１の利用者側から保守管理会社１５０の電話機１４０に架電することによって通話が開始されることが一般的であり、また、カゴ１０２には通話を切断する操作を受け付ける操作部などが設けられていないことが一般的であるため、インターフォンの端末装置１０２ｂと電話機１４０との通話は、着信側である保守管理会社１５０のオペレーター側が切断することが多い。着信側が先に通話を終了すると着信側の交換機に通話終了信号が出力され、当該通話終了信号に応じて、発信者側の交換機に着信側が先に通話を終了したことが通知される。そして、発信者側の交換機は、着信側が先に通話を終了した通知を受け付けてから所定時間（数秒程度）で、接続されていた通話回線を切断する。監視制御基板２０２は、通話回線が切断されたことを検出した場合に、通話終了通知を生成する。
【００９１】
また、遠隔監視支援装置１２０は、主制御基板１２１において監視制御基板２０２によって制御される中継基板２０１を介して、制御基板１１０に対して各種の運行指令信号を出力する。遠隔監視支援装置１２０は、制御基板１１０を介してエレベーター１０１が備える各部を駆動制御する際に、運行指令信号を出力する。
【００９２】
運行指令信号は、たとえば、操作盤１０２ａや操作盤１０５ｂにおいて、所定の階床への移動を指示する入力操作を受け付けた場合に当該操作盤１０２ａや操作盤１０５ｂから出力される信号と同様の信号（呼び信号など）によって実現することができる。具体的には、運行指令信号は、たとえば、エレベーター１０１のカゴ１０２を所定の階床に移動させたり、移動させたカゴ１０２を該当する階床において停止させたり、停止させた階床においてカゴ１０２の扉１０２ｄおよび乗り場１０５の扉１０５ａを開閉させたりする信号を含む。
【００９３】
制御基板１１０は、主制御基板１２１から出力された運行指令信号を受信すると、受信した運行指令信号に基づいて上述した各種の制御用の信号を生成し、生成した各種の制御用の信号をエレベーター１０１が備える各部に対して出力する。主制御基板１２１は、中継基板２０１を介して監視制御基板２０２から出力した各種の運行指令信号を、たとえば、エレベーター１０１が備える保守点検用の端子（図示を省略する）を介して当該制御基板１１０に入力する。
【００９４】
保守点検用の端子は、制御基板１１０に設けられている。あるいは、保守点検用の端子は、制御基板１１０の入力端子に電気的に接続され、制御基板１１０とは別体であってもよい。保守点検用の端子は、たとえば、作業員がエレベーター１０１が設置されている現地においておこなう保守点検作業に際して、当該保守点検作業に用いる端末装置（保守診断用端末）を接続するために設けられている。保守点検用の端子は、遠隔監視を目的として設置されたエレベーター１０１に限らず、また、既設新設あるいは新旧にかかわらず、幅広い種類のエレベーター１０１が一般的に備えている。
【００９５】
保守点検用の端子を介して中継基板２０１と制御基板１１０とを接続する場合、遠隔監視支援装置１２０は、保守点検用の端子に対して切断可能に接続される接続端子（図示を省略する）を備えていてもよい。このような遠隔監視支援装置１２０においては、たとえば、接続端子を保守点検用の端子に挿入して嵌合させることによって、接続端子と保守点検用の端子とを接続することができる。
【００９６】
また、遠隔監視支援装置１２０は、通信Ｉ／Ｆ２０４を介して、管理サーバコンピュータ１３０から送信された各種の指示信号を受信する。管理サーバコンピュータ１３０は、たとえば、保守管理会社１５０においてオペレーターによる管理サーバコンピュータ１３０への入力操作を受け付けた場合に、遠隔監視支援装置１２０に対して指示信号を出力する。
【００９７】
具体的には、管理サーバコンピュータ１３０は、管理サーバコンピュータ１３０において受け付けた入力操作に応じて、たとえば、エレベーター１０１において実行した診断動作の結果に関する通知情報の送信を指示する指示信号（通知情報の送信指示）を送信する。この場合、管理サーバコンピュータ１３０は、通知情報の送信指示に加えて、エレベーター１０１に対して診断動作の実行指示を送信する。
【００９８】
診断動作は、制御基板１１０からエレベーター１０１が備える各部に対して、当該各部を所定の順序で動作させる信号を出力させ、出力させた信号にしたがって当該各部が正常に動作したか否かを示す信号を制御基板１１０から出力させることによって実現される。管理サーバコンピュータ１３０は、定期的、すなわち、診断指示を出力してから所定時間が経過した場合（１ヶ月ごとなどの所定期間ごと）に、つぎの診断指示を出力してもよい。
【００９９】
また、具体的には、管理サーバコンピュータ１３０は、たとえば、管理サーバコンピュータ１３０において受け付けた入力操作に応じて、あるいは定期的に、制御基板１１０において記憶した運行動作の履歴に関する通知情報の送信を指示する指示信号（通知情報の送信指示）を送信してもよい。運行動作の履歴に関する通知情報は、たとえば、起動回数、カゴ１０２の走行距離、カゴ１０２の走行時間、カゴ１０２の昇降動作や扉１０５ａ、１０２ｄの開閉動作に際して動作した各種リレーの動作回数などに関する情報によって実現することができる。
【０１００】
遠隔監視支援装置１２０は、管理サーバコンピュータ１３０から送信された各種の指示信号を受信した場合に、受信した指示信号に基づいて上記の運行指令信号を生成し、生成した運行指令信号を制御基板１１０に対して出力する。また、遠隔監視支援装置１２０は、管理サーバコンピュータ１３０から送信された各種の指示信号に基づく運行指令信号を制御基板１１０に対して出力した結果、当該制御基板１１０から出力された信号（制御用の信号など）を取得した場合に、当該信号に基づいて応答情報を生成し、生成した応答情報を管理サーバコンピュータ１３０に出力する。
【０１０１】
あるいは、遠隔監視支援装置１２０は、管理サーバコンピュータ１３０からの各種の指示信号の送信の有無にかかわらず、あらかじめ指定された日時が到来するごとに、上記の運行指令信号を生成し、生成した運行指令信号を制御基板１１０に対して出力してもよい。また、あるいは、遠隔監視支援装置１２０は、管理サーバコンピュータ１３０からの各種の指示信号の送信の有無にかかわらず、前回運行指令信号を出力してから、あらかじめ指定された時間が経過するごとに、上記の運行指令信号を生成し、生成した運行指令信号を制御基板１１０に対して出力してもよい。これらの場合も、遠隔監視支援装置１２０は、運行指令信号を制御基板１１０に対して出力した結果、当該制御基板１１０から出力された信号（制御用の信号など）を取得した場合に、当該信号に基づいて応答情報を生成し、生成した応答情報を管理サーバコンピュータ１３０に出力する。
【０１０２】
なお、この実施の形態の遠隔監視支援装置１２０は、管理サーバコンピュータ１３０からの各種の指示信号の送信の有無にかかわらず、制御基板１１０から出力された発報用の信号を取得するごとに、当該信号に基づいて上記の通知情報を生成し、生成した通知情報を管理サーバコンピュータ１３０に出力する。このように、管理サーバコンピュータ１３０から送信された各種の指示信号を受信した場合に限らず通知情報を出力することにより、この発明にかかる実施の形態の遠隔監視システム１００は、エレベーター１０１の遠隔診断のみならず、エレベーター１０１の遠隔監視をおこなうことができる。
【０１０３】
管理サーバコンピュータ１３０は、遠隔監視支援装置１２０に対して送信した各種の指示信号に応じて当該遠隔監視支援装置１２０から送信された応答情報に基づいて、報告書情報を生成する。管理サーバコンピュータ１３０は、たとえば、診断指示および通知情報の送信指示を送信した結果、遠隔監視支援装置１２０から受信した通知情報に基づいて、報告書情報を生成する。この場合、管理サーバコンピュータ１３０は、たとえば、エレベーター１０１の走行距離や起動回数に関する情報を含む報告書情報を生成する。
【０１０４】
また、管理サーバコンピュータ１３０は、生成した報告書情報に基づいて、報告書（図示を省略する）を発行する機能を備えている。報告書は、たとえば、エレベーター１０１に診断動作をおこなわせるごと、すなわち、遠隔監視支援装置１２０に対して送信した診断動作の実行を指示する指示信号（診断指示）に応じた応答情報を受信するごとに発行することができる。具体的には、管理サーバコンピュータ１３０は、たとえば、生成した報告書情報に基づいて、当該報告書情報を紙などの記録媒体に印刷するための印刷情報を生成し、生成した印刷情報を、管理サーバコンピュータ１３０に接続された操作用の端末装置１３１に出力する。操作用の端末装置１３１は、印刷情報を受け付けた場合、当該操作用の端末装置１３１に接続されたプリンタを駆動制御することによって報告書を発行させることができる。
【０１０５】
（遠隔監視システム１００の機能的構成）
つぎに、この発明にかかる実施の形態の遠隔監視システム１００の機能的構成について説明する。図３は、この発明にかかる実施の形態の遠隔監視システム１００を構成する各部の機能的構成を示すブロック図である。
【０１０６】
（遠隔監視支援装置１２０の機能的構成）
図３において、この発明にかかる実施の形態の遠隔監視システム１００を構成する遠隔監視支援装置１２０の各機能は、操作検出部３１１と、通話要求通知生成部３１２と、通話要求通知送信部３１３と、通話回線接続部３１４と、によって実現される。
【０１０７】
操作検出部３１１は、非常通話ボタン１０２ｃの操作がされたことを検出する。操作検出部３１１は、たとえば、中継基板２０１に対する呼出信号の入力の有無、あるいは、中継基板２０１から監視制御基板２０２に出力される解析結果に含まれる呼出信号の有無を判断することにより、非常通話ボタン１０２ｃの操作がされたことを検出する。
【０１０８】
この場合、操作検出部３１１の機能は、たとえば、主制御基板１２１によって実現することができる。より具体的には、操作検出部３１１の機能は、たとえば、中継基板２０１、監視制御基板２０２、メモリ２０３などによって実現することができる。
【０１０９】
あるいは、上記のように、監視制御基板２０２に呼出信号を直接入力するように構成した場合、操作検出部３１１は、監視制御基板２０２に対する呼出信号の入力の有無を判断することにより、非常通話ボタン１０２ｃの操作がされたことを検出する。この場合、操作検出部３１１の機能は、具体的には、たとえば、監視制御基板２０２、メモリ２０３などによって実現することができる。
【０１１０】
通話要求通知生成部３１２は、操作検出部３１１が非常通話ボタン１０２ｃの操作がされたことを検出した場合、通話要求通知を生成する。通話要求通知は、非常通話ボタン１０２ｃの操作がされたエレベーター１０１の識別情報を含む。また、通話要求通知は、通話要求の操作、すなわち、非常通話ボタン１０２ｃの操作がされた日時に関する情報を含んでいてもよい。通話要求通知生成部３１２の機能は、たとえば、主制御基板１２１によって実現することができる。より具体的には、通話要求通知生成部３１２の機能は、たとえば、監視制御基板２０２、メモリ２０３などによって実現することができる。
【０１１１】
通話要求通知送信部３１３は、通話要求通知生成部３１２が生成した通話要求通知を管理サーバコンピュータ１３０に送信する。すなわち、通話要求通知送信部３１３は、操作検出部３１１が非常通話ボタン１０２ｃの操作がされたことを検出した場合、当該検出に応じて生成された通話要求通知を管理サーバコンピュータ１３０に送信する。通話要求通知送信部３１３の機能は、たとえば、主制御基板１２１や通信用基板１２２によって実現することができる。より具体的には、通話要求通知送信部３１３の機能は、たとえば、監視制御基板２０２、通信Ｉ／Ｆ２０４および通信用基板１２２などによって実現することができる。
【０１１２】
通話回線接続部３１４は、保守管理会社１５０側の通信用機器である電話機１４０からの着信があった場合、当該電話機１４０と、通話要求の操作がされたインターフォンの端末装置１０２ｂとの間の通話回線を接続する。具体的には、通話回線接続部３１４は、たとえば、電話機１４０からの発呼によるページングチャネルに応じて、通信用基板１２２が通話に用いるチャンネルを確定することにより、電話機１４０と、通話要求の操作がされたインターフォンの端末装置１０２ｂとの間の通話回線を接続する（開通させる）ことができる。
【０１１３】
通話回線接続部３１４の機能は、たとえば、主制御基板１２１や通信用基板１２２によって実現することができる。より具体的には、通話回線接続部３１４の機能は、たとえば、中継基板２０１、監視制御基板２０２、通信Ｉ／Ｆ２０４および通信用基板１２２などによって実現することができる。
【０１１４】
この場合、通話回線接続部３１４は、具体的には、たとえば、電話機１４０から公衆音声網を介して通信用基板１２２に入力された音声信号を、通信Ｉ／Ｆ２０４を介して監視制御基板２０２に入力する。そして、この音声信号を、監視制御基板２０２から中継基板２０１を介してインターフォンの端末装置１０２ｂに出力する。また、この場合、通話回線接続部３１４は、具体的には、たとえば、インターフォンの端末装置１０２ｂから出力されたアナログの音声信号を、中継基板２０１を介して監視制御基板２０２に入力し、デジタルの音声信号に変換する。そして、変換されたデジタルの音声信号を、監視制御基板２０２から通信Ｉ／Ｆ２０４および通信用基板１２２を介して公衆音声網に出力する。公衆音声網に出力された音声信号は、公衆音声網を介して電話機１４０に送出される。
【０１１５】
あるいは、通話回線接続部３１４の機能は、たとえば、通信用基板１２２によって実現してもよい。この場合、具体的には、たとえば、通信用基板１２２は、電話機１４０から公衆音声網を介して入力された音声信号をインターフォンの端末装置１０２ｂに出力するとともに、インターフォンの端末装置１０２ｂから出力された音声信号を公衆音声網を介して電話機１４０に送出することによって通話回線接続部３１４の機能を実現することができる。
【０１１６】
このように、通話に際しては、通信用基板１２２とインターフォンの端末装置１０２ｂとの間において音声信号を直接やり取りすることにより、主制御基板１２１が備える監視制御基板２０２などが、何らかの原因により動作しない場合にも、インターフォンの端末装置１０２ｂと電話機１４０との間において音声通信（通話）をおこなうことができる。
【０１１７】
この発明にかかる実施の形態の遠隔監視システム１００においては、通話要求通知送信部３１３による遠隔監視支援装置１２０と管理サーバコンピュータ１３０との通信、および、通話回線接続部３１４による電話機１４０とインターフォンの端末装置１０２ｂとの通話回線の接続、を単一の通信用基板１２２を制御しておこなう。
【０１１８】
（管理サーバコンピュータ１３０の機能的構成）
この発明にかかる実施の形態の遠隔監視システム１００を構成する管理サーバコンピュータ１３０の各機能は、記憶部３２１と、通話要求通知受信部３２２と、入力要求生成部３２３と、入力要求出力部３２４と、架電指示受付部３２５と、架電制御部３２６と、によって実現される。
【０１１９】
記憶部３２１は、遠隔監視システム１００の動作にかかる各種の情報を記憶する。具体的には、記憶部３２１は、たとえば、上記のデータベースを記憶する。記憶部３２１の機能は、たとえば、管理サーバコンピュータ１３０を実現するコンピュータ装置が備える記憶媒体によって実現することができる。
【０１２０】
通話要求通知受信部３２２は、遠隔監視支援装置１２０の通話要求通知送信部３１３の機能によって送信された通話要求通知を受信する。通話要求通知受信部３２２の機能は、たとえば、管理サーバコンピュータ１３０を実現するコンピュータ装置が備えるＣＰＵ、ネットワーク１６０に接続されたインターフェイスなどによって実現することができる。
【０１２１】
入力要求生成部３２３は、通話要求通知受信部３２２が通話要求通知を受信した場合、当該通話要求通知に基づいて、通話要求に応対する入力操作を要求する入力要求を出力する。入力要求は、たとえば、操作用の端末装置１３１が備えるディスプレイ１３１ｂに、通話要求通知受信部３２２が受信した通話要求通知の送信元に対する架電の開始を指示する指示キー（図４における符号４０１を参照）を表示させる情報によって実現される。
【０１２２】
入力要求は、通話要求通知の送信元となる遠隔監視支援装置１２０に対応するエレベーター１０１の物件情報を含んでいてもよい。該当するエレベーター１０１の物件情報は、記憶部３２１が記憶するデータベースにおいて、通話要求通知受信部３２２が受信した通話要求通知に含まれる識別情報と同じ識別情報に関連付けて記憶されている物件情報によって実現することができる。また、入力要求は、通話要求の操作がされた日時に関する情報を含んでいてもよい。入力要求生成部３２３の機能は、たとえば、管理サーバコンピュータ１３０を実現するコンピュータ装置が備えるＣＰＵ、記憶媒体などによって実現することができる。
【０１２３】
入力要求出力部３２４は、入力要求生成部３２３が生成した入力要求を出力する。入力要求出力部３２４は、入力要求生成部３２３が生成した入力要求を、たとえば、操作用の端末装置１３１に出力する。具体的には、入力要求出力部３２４は、たとえば、管理サーバコンピュータ１３０においてＣＰＵや記憶媒体を用いて生成した入力要求を、操作用の端末装置１３１とのインターフェイスを介して、操作用の端末装置１３１に出力する。この場合、入力要求出力部３２４の機能は、たとえば、管理サーバコンピュータ１３０を実現するコンピュータ装置が備えるＣＰＵ、記憶媒体、操作用の端末装置１３１とのインターフェイスなどによって実現することができる。
【０１２４】
操作用の端末装置１３１は、管理サーバコンピュータ１３０から出力された入力要求を受け付けると、当該入力要求に基づいて、当該操作用の端末装置１３１が備えるディスプレイ１３１ｂに、指示キーを表示させる。指示キーは、たとえば、操作用の端末装置１３１が備えるディスプレイ１３１ｂ上にソフトウェア的に再現された操作用のキーであって、操作用の端末装置１３１が備えるマウスなどの入力デバイス１３１ａの操作によって指定されることによって入力を受け付けることができる。操作用の端末装置１３１は、管理サーバコンピュータ１３０から出力された入力要求に、物件情報が含まれている場合、当該操作用の端末装置１３１が備えるディスプレイ１３１ｂに、当該物件情報とともに指示キーを表示させる。
【０１２５】
入力要求出力部３２４による入力要求の出力先は、操作用の端末装置１３１が備えるディスプレイ１３１ｂのように、管理サーバコンピュータ１３０に間接的に接続された表示装置に限るものではない。入力要求出力部３２４による入力要求の出力先は、管理サーバコンピュータ１３０に直接接続された表示装置であってもよい。この場合、入力要求出力部３２４の機能は、たとえば、管理サーバコンピュータ１３０を実現するコンピュータ装置が備えるＣＰＵ、記憶媒体、管理サーバコンピュータ１３０に直接接続された表示装置とのインターフェイスなどによって実現することができる。
【０１２６】
保守管理会社１５０において、複数の電話機１４０およびオペレーターを配置している場合、入力要求出力部３２４による入力要求の出力先は、あらかじめ定められた優先順序にしたがっていずれか１人のオペレーターの操作用の端末装置１３１に決定してもよく、すべてのオペレーターの操作用の端末装置１３１に決定してもよい。
【０１２７】
運用上、保守管理会社１５０のオペレーターは、入力要求出力部３２４の機能によって、操作用の端末装置１３１が備えるディスプレイ１３１ｂに表示された表示内容を確認すると、当該表示内容とともに表示されている指示キーを操作する。指示キーの操作を受け付けた操作用の端末装置１３１は、管理サーバコンピュータ１３０に対して、通話要求通知の送信元に対する架電指示を出力する。架電指示は、いずれの入力要求に応じた架電指示であるかを特定する情報を含んでいる。具体的には、たとえば、架電先となるエレベーター１０１の識別情報を含んでいる。
【０１２８】
架電指示受付部３２５は、入力要求出力部３２４が出力した入力要求に応じて操作用の端末装置１３１から送信された架電指示を受け付ける。架電指示受付部３２５の機能は、たとえば、管理サーバコンピュータ１３０を実現するコンピュータ装置が備えるＣＰＵ、操作用の端末装置１３１とのインターフェイスなどによって実現することができる。
【０１２９】
架電制御部３２６は、架電指示受付部３２５が架電指示を受け付けた場合、電話機１４０を制御して、当該電話機１４０から通話要求通知の送信元の遠隔監視支援装置１２０に対する架電をおこなう。架電をおこなう電話機１４０は、指示キー４０１の操作がおこなわれた操作用の端末装置１３１に対応する電話機１４０とすることができる。
【０１３０】
具体的には、架電制御部３２６は、たとえば、指示キーの操作があった操作用の端末装置１３１に対応する電話機１４０が備えるＤＴＭＦダイヤラーに、通話要求通知受信部３２２が受信した通話要求通知の送信元の遠隔監視装置１２０（の通信用基板１２２）に割り当てられた電話番号のＤＴＭＦ信号を出力させる、出力指示を出力する。この場合、架電制御部３２６の機能は、たとえば、管理サーバコンピュータ１３０を実現するコンピュータ装置が備えるＣＰＵ、記憶媒体、電話機１４０とのインターフェイスなどによって実現することができる。これにより、電話機１４０から、通話要求通知の送信元の遠隔監視装置１２０の発呼がおこなわれ、上記のようにして電話機１４０と通話要求の操作がされたインターフォンの端末装置１０２ｂとの間の通話回線が開通される。
【０１３１】
なお、入力要求出力部３２４が、入力要求を複数の操作用の端末装置１３１に出力した場合、管理サーバコンピュータ１３０は、いずれか一の操作用の端末装置１３１から架電指示を受け付けたタイミングで、残余の操作用の端末装置１３１に対して、架電指示を受け付けた入力要求の表示をディスプレイ１３１ｂから削除することを指示する削除指示を出力してもよい。これにより、オペレーターに負担をかけることなく、対応が完了したにもかかわらず、通話要求のポップアップ（図４における符号４０２を参照）が表示され続けることを回避できる。
【０１３２】
（表示画面例）
つぎに、操作用の端末装置１３１のディスプレイ１３１ｂにおける表示画面例について説明する。図４は、操作用の端末装置１３１のディスプレイ１３１ｂにおける表示画面例を示す説明図である。図４において、表示画面４００は、操作用の端末装置１３１のディスプレイ１３１ｂに表示される。表示画面４００においては、通話要求元、すなわち、通話要求通知受信部３２２が受信した通話要求通知の送信元に対する架電の開始を指示する指示キー４０１を表示する。
【０１３３】
また、表示画面４００は、非常通話ボタン１０２ｃの操作を受け付けたエレベーター１０１の物件情報を表示する。これにより、オペレーターは、ディスプレイ１３１ｂを見ることで、いずれのエレベーター１０１からの通話要求であるかを容易かつ確実に理解することができる。
【０１３４】
表示画面４００は、通話元に関する情報と当該通話元への架電を指示する指示キー４０１とを関連付けて表示する。具体的には、同一の通話要求通知に基づく通話元情報および指示キー４０１を、同一のウインドウ内に示すポップアップ４０２を表示する。このポップアップ４０２は、たとえば、先に受信した通話要求通知にかかるものほど、表示画面４００において手前側に配置されるように表示する。
【０１３５】
ポップアップ４０２の表示の順番は、通話要求通知に含まれる、非常通話ボタン１０２ｃの操作がされた日時に関する情報や、管理サーバコンピュータ１３０から操作用の端末装置１３１へ入力要求を出力した日時に基づいて、決定することができる。通話要求通知の受信の先後によりポップアップ４０２の表示位置（手前側か奥側か）を決定することにより、短期間に複数の通話要求通知を受信した場合に、先に受信した通話要求通知が表示画面４００において奥側に配置されることにより、先にインターフォン通話を要求したにもかかわらず、対応が後回しになることを、オペレーターに負担を掛けることなく防止することができる。
【０１３６】
（遠隔監視支援装置１２０の処理手順）
図５Ａおよび図５Ｂは、この発明にかかる実施の形態の遠隔監視システム１００における遠隔監視支援装置１２０の処理手順を示すフローチャートである。図５Ａのフローチャートにおいて、まず、非常通話ボタン１０２ｃの操作があるまで待機する（ステップＳ５１１：Ｎｏ）。
【０１３７】
ステップＳ５１１において、非常通話ボタン１０２ｃの操作があった場合（ステップＳ５１１：Ｙｅｓ）、通話要求通知を生成する（ステップＳ５１２）。ステップＳ５１２においては、たとえば、上記のように、通話要求通知の送信元となるエレベーター１０１の識別情報や、当該エレベーター１０１において非常通話ボタン１０２ｃの操作があったことを示す情報などを含む通話要求通知を生成する。
【０１３８】
そして、管理サーバコンピュータ１３０に対して、ステップＳ５１２において生成した通話要求通知を送信して（ステップＳ５１３）、一連の処理を終了する。
【０１３９】
図５Ｂのフローチャートにおいて、まず、電話機１４０からの着信があるまで待機する（ステップＳ５２１：Ｎｏ）。ステップＳ５２１において、電話機１４０からの着信があった場合（ステップＳ５２１：Ｙｅｓ）、電話機１４０との間の通話回線を接続する（ステップＳ５２２）。
【０１４０】
遠隔監視システム１００においては、エレベーター１０１のカゴ１０２には通話を切断する操作を受け付ける操作部などが設けられていないことが一般的であるため、インターフォンの端末装置１０２ｂと電話機１４０との通話は、保守管理会社１５０のオペレーター側が切断することが多い。発信側である電話機１４０が先に通話を終了すると発信側の交換機に通話終了信号が出力され、当該通話終了信号に応じて、着信者側の交換機に発信側が先に通話を終了したことを通知する終了通知が送信される。
【０１４１】
つぎに、ステップＳ５２２において通話回線を接続した状態において、着信側（遠隔監視支援装置１２０側）の交換機から送信された、終了通知を受信するまで待機する（ステップＳ５２３：Ｎｏ）。そして、着信側（遠隔監視支援装置１２０側）の交換機から送信された、終了通知を受信した場合（ステップＳ５２３：Ｙｅｓ）、通話回線を開放して（ステップＳ５２４）、一連の処理を終了する。
【０１４２】
（管理サーバコンピュータ１３０の処理手順）
図６は、この発明にかかる実施の形態の遠隔監視システム１００における管理サーバコンピュータ１３０の処理手順を示すフローチャートである。図６のフローチャートにおいて、まず、図５ＡのステップＳ５１３において遠隔監視支援装置１２０から送信された通話要求通知を受信するまで待機する（ステップＳ６０１：Ｎｏ）。
【０１４３】
ステップＳ６０１において、通話要求通知を受信した場合（ステップＳ６０１：Ｙｅｓ）、受信した通話要求通知に基づいて、ステップＳ６０１：Ｙｅｓにおいて受信した通話要求通知の送信元、すなわち通知元を特定する（ステップＳ６０２）。ステップＳ６０２においては、管理サーバコンピュータ１３０が備えるデータベースを参照して、上記のように通知元を特定する。
【０１４４】
つぎに、ステップＳ６０２における特定結果に基づいて、特定した通知元の物件情報を通知元情報として取得し（ステップＳ６０３）、取得した通知元情報に基づいて、入力要求を生成する（ステップＳ６０４）。そして、管理サーバコンピュータ１３０に接続されている操作用の端末装置１３１に対して、ステップＳ６０４において生成した入力要求を出力する（ステップＳ６０５）。
【０１４５】
ステップＳ６０５において管理サーバコンピュータ１３０から出力された入力要求を受け付けた操作用の端末装置１３１は、受け付けた入力要求に基づいてディスプレイ１３１ｂに、通話元情報および指示キー４０１を表示する。上記のように、運用上、保守管理会社１５０のオペレーターは、表示画面４００の表示内容を確認すると、当該表示内容とともに表示されている指示キー４０１を操作する。遠隔監視支援装置１２０は、ステップＳ６０５において出力した入力要求に応じた架電指示を、管理サーバコンピュータ１３０に対して出力する。
【０１４６】
ステップＳ６０６においては、ステップＳ６０５において出力した入力要求に応じて操作用の端末装置１３１から出力された架電指示を受け付けるまで待機する（ステップＳ６０６：Ｎｏ）。ステップＳ６０６において、ステップＳ６０５において出力した入力要求に応じて操作用の端末装置１３１から出力された架電指示を受け付けた場合（ステップＳ６０６：Ｙｅｓ）、出力指示を出力して（ステップＳ６０７）、一連の処理を終了する。
【０１４７】
なお、ステップＳ６０５において入力要求を出力してから所定時間が経過しても、該当する架電指示を受け付けない場合、操作用の端末装置１３１のディスプレイ１３１ｂに、対応が完了していない架電要求があることを表示させる表示情報を出力してもよい。これにより、対応が完了していない架電要求をなくし、利用者の不安をなくすことができる。
【０１４８】
上記のように、エレベーター１０１の設置場所は固定であるため、ＰＨＳを利用した通信をおこなうことにより通信の品質を確保するとともに、別の通信用基板を用いることにより一方の通信によって他方の通信を制限することなく、音声通信およびデータ通信をおこなうことができる。これにより、たとえば、エレベーター１０１に生じた故障などを管理サーバコンピュータ１３０に通知するためにエレベーター１０１の利用者の通話が制限されたり、エレベーター１０１の利用者の通話のために管理サーバコンピュータ１３０への通知が制限されたりすることを防止できる。
【０１４９】
以上説明したように、この発明にかかる実施の形態のエレベーターの通話管理システムを実現する、エレベーター１０１の遠隔監視システム１００は、エレベーター１０１のカゴ１０２に設けられたインターフォンの通話要求の操作がされた場合、遠隔監視支援装置１２０が、当該通話要求の操作がされたエレベーター１０１の識別情報を含む通話要求通知を管理サーバコンピュータ１３０に送信する。
【０１５０】
管理サーバコンピュータ１３０は、通話要求通知を受信した場合、当該通話要求通知に基づいて、通話要求に応対する入力操作を要求する入力要求を出力し、出力した入力要求に応じた入力操作を受け付けた場合、当該管理サーバコンピュータ１３０に対応する電話機１４０を制御して、当該電話機１４０から通話要求通知の送信元の遠隔監視支援装置１２０に対する架電をおこなう。その後、遠隔監視支援装置１２０は、電話機１４０との間で接続された通話回線を、通話要求の操作がされたインターフォンの端末装置に接続する。
【０１５１】
そして、この発明にかかる実施の形態の遠隔監視システム１００においては、遠隔監視支援装置１２０が、管理サーバコンピュータ１３０との通信と所定の架電先である電話機１４０への架電とを、単一の通信用基板１２２を制御しておこなうようにしたことを特徴としている。
【０１５２】
この発明にかかるエレベーターの通話管理システム１００によれば、遠隔監視支援装置１２０から管理サーバコンピュータ１３０に対して通話要求通知を送信した後、オペレーターからの架電があるまでの間、通信用基板１２２を開放しておくことができる。これにより、管理サーバコンピュータ１３０との通信と所定の架電先である電話機１４０への架電とを、単一の通信用基板１２２を制御しておこなう場合にも、通話要求通知を送信してからオペレーターからの架電があるまでの間にエレベーターに異常が発生した場合の発報をおこなうことができる。
【０１５３】
一般的に、エレベーター１０１の遠隔監視をおこなう場合、制御基板１１０や遠隔監視支援装置１２０は、エレベーター１０１の動作に関する情報や当該エレベーター１０１に発生した異常に関する情報などの各種の情報を、インターネットなどの通信回線を介して管理サーバコンピュータ１３０に発報する。この発明にかかるエレベーターの通話管理システム１００によれば、管理サーバコンピュータ１３０との通信と所定の架電先である電話機１４０への架電とを、単一の通信用基板１２２を制御しておこなう場合にも、インターフォンの通話要求の操作がされてからオペレーターとの通話が開始されるまでの間の、通信用基板１２２が開放される時間を有効に利用して、適宜エレベーター１０１からの発報をおこなうことができる。
【０１５４】
これにより、エレベーター１０１から管理サーバコンピュータ１３０に発報を伝えやすくすることができるので、エレベーターに対する信頼性の向上を図り、利用者の安全性を確保し、当該利用者に安心してエレベーターを利用させることができる。
【０１５５】
また、この発明にかかるエレベーターの通話管理システム１００によれば、たとえば、保守管理会社１５０に設置された電話機１４０がすべて通話中である場合などにおいて、利用者と通話中のオペレーターに対して、別の利用者がオペレーターとの直話通話を希望していること、および、保守管理会社１５０からの連絡を待っている別の利用者の存在を案内することができる。これにより、当該オペレーターは先に通話中の利用者との通話にかかる時間を調整し、先に通話中の利用者に対する対応をおこないつつ、通話を希望している別の利用者との通話を早期に開始できるよう対応することができる。これにより、エレベーターの利用者の不安軽減を図り、エレベーターに対する信頼性の向上を図り、利用者の安全性を確保し、当該利用者に安心してエレベーターを利用させることができる。
【０１５６】
また、この発明にかかる実施の形態の遠隔監視システム１００は、管理サーバコンピュータ１３０が、入力要求を出力することにより、当該入力要求の出力先において、通話要求通知の送信元に対する架電の開始を指示する指示キーを表示させるようにしたことを特徴としている。
【０１５７】
この発明にかかるエレベーターの通話管理システム１００によれば、指示キー４０１の操作に応じて架電を開始することにより、オペレーターが確実に通話に対応できる状況で、通話回線を接続することができる。これにより、利用者からの通話要求に確実に対応することができる。そして、これによって、エレベーターに対する信頼性の向上を図り、利用者の安全性を確保し、当該利用者に安心してエレベーターを利用させることができる。
【０１５８】
また、この発明にかかる実施の形態の遠隔監視システム１００は、管理サーバコンピュータ１３０が、エレベーター１０１の識別情報ごとに物件情報を記憶するデータベースを参照して、物件情報を含む入力要求を出力し、当該入力要求の出力先において、通話要求通知の送信元に対する架電の開始を指示する指示キー、および、通話要求通知に基づいて特定される物件情報を表示させることを特徴としている。
【０１５９】
この発明にかかるエレベーターの通話管理システム１００によれば、物件情報により、オペレーターに対して、当該オペレーターが架電する前に、通話要求通知の送信元のエレベーター１０１に関する情報を案内することができる。これにより、エレベーターごとに、適切なオペレーターから利用者に架電することができ、利用者からの通話要求に確実に対応することができる。そして、これによって、エレベーターに対する信頼性の向上を図り、利用者の安全性を確保し、当該利用者に安心してエレベーターを利用させることができる。
【０１６０】
また、この発明にかかる実施の形態の遠隔監視システム１００は、通話要求通知が、インターフォンの通話要求の操作がされた日時に関する情報を含むことを特徴としている。この発明にかかるエレベーターの通話管理システム１００によれば、通話要求の操作がされた日時に基づいて、先に操作されたエレベーター１０１に優先して架電するなどの対応をとることができる。これによって、エレベーターに対する信頼性の向上を図り、利用者の安全性を確保し、当該利用者に安心してエレベーターを利用させることができる。
【産業上の利用可能性】
【０１６１】
以上のように、この発明にかかるエレベーターの通話管理システムは、インターフォン通話が可能なエレベーターの通話管理システムに有用であり、特に、遠隔地から動作状態を監視しているエレベーターの通話管理システムに適している。
【符号の説明】
【０１６２】
１００  遠隔監視システム
１０１  エレベーター
１０２  カゴ
１０２ｂ  インターフォンの端末装置
１０２ｃ  非常通話ボタン
１２０  遠隔監視支援装置
１２１  主制御基板
１２２  通信用基板
１３０  管理サーバコンピュータ
１４０  電話機
１５０  保守管理会社
３１１  操作検出部
３１２  通話要求通知生成部
３１３  通話要求通知送信部
３１４  通話回線接続部
３２１  記憶部
３２２  通話要求通知受信部
３２３  入力要求生成部
３２４  入力要求出力部
３２５  架電指示受付部
３２６  架電制御部
【図１】
2020031441.tif 000003
【図２】
2020031441.tif 000004
【図３】
2020031441.tif 000005
【図４】
2020031441.tif 000006
【図５Ａ】
2020031441.tif 000007
【図５Ｂ】
2020031441.tif 000008
【図６】
2020031441.tif 000009
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
エレベーターのカゴに設けられたインターフォンの通話要求の操作がされた場合、当該エレベーターの制御基板または当該制御基板と通信をおこなう遠隔監視支援装置が、当該通話要求の操作がされたエレベーターの識別情報を含む通話要求通知を管理サーバコンピュータに送信し、
前記管理サーバコンピュータが、前記通話要求通知を受信した場合、当該通話要求通知に基づいて、通話要求に応対する入力操作を要求する入力要求を出力し、
前記入力要求を出力することにより、当該入力要求の出力先の端末装置が、前記通話要求通知の送信元を特定する情報および当該通話要求通知の送信元に対する架電の開始を指示する指示キーを表示する、
ことを特徴とする通話管理システム。
【請求項２】
前記通話要求通知の送信元を特定する情報と、当該通話要求通知の送信元に対する架電の開始を指示する指示キーと、を同一のウインドウ内に表示することを特徴とする請求項１に記載の通話管理システム。
【請求項３】
前記通話要求通知の時刻に関する情報と、前記通話要求通知の送信元に対する架電の開始を指示する指示キーと、を同一のウインドウ内に表示することを特徴とする請求項１または２に記載の通話管理システム。
【請求項４】
エレベーターのカゴに設けられたインターフォンの通話要求の操作がされた場合、当該エレベーターの制御基板または当該制御基板と通信をおこなう遠隔監視支援装置が、当該通話要求の操作がされたエレベーターの識別情報を含む通話要求通知を管理サーバコンピュータに送信し、
前記管理サーバコンピュータが、前記通話要求通知を受信した場合、当該通話要求通知に基づいて、通話要求に応対する入力操作を要求する入力要求を出力し、
前記入力要求を出力することにより、当該入力要求の出力先の端末装置が、前記通話要求通知の送信元に対する架電の開始を指示する指示キーを、入力要求ごと別々のウインドウに表示する、
ことを特徴とする通話管理システム。
【請求項５】
エレベーターの制御基板または当該制御基板と通信をおこなう遠隔監視支援装置に、
前記エレベーターのカゴに設けられたインターフォンの通話要求の操作がされた場合、当該通話要求の操作がされたエレベーターの識別情報を含む通話要求通知を管理サーバコンピュータに送信させ、
前記管理サーバコンピュータに、
前記通話要求通知を受信した場合、当該通話要求通知に基づいて、通話要求に応対する入力操作を要求する入力要求を出力させ、
前記入力要求の出力先の端末装置に、
前記管理サーバコンピュータが前記入力要求を出力することにより、前記通話要求通知の送信元を特定する情報および当該通話要求通知の送信元に対する架電の開始を指示する指示キーを表示させる、
処理を実行させることを特徴とする通話管理プログラム。
【請求項６】
エレベーターの制御基板または当該制御基板と通信をおこなう遠隔監視支援装置に、
前記エレベーターのカゴに設けられたインターフォンの通話要求の操作がされた場合、当該通話要求の操作がされたエレベーターの識別情報を含む通話要求通知を管理サーバコンピュータに送信させ、
前記管理サーバコンピュータに、
前記通話要求通知を受信した場合、当該通話要求通知に基づいて、通話要求に応対する入力操作を要求する入力要求を出力させ、
前記入力要求の出力先の端末装置に、
前記管理サーバコンピュータが前記入力要求を出力することにより、前記通話要求通知の送信元に対する架電の開始を指示する指示キーを、入力要求ごと別々のウインドウに表示させる、
処理を実行させることを特徴とする通話管理プログラム。
【手続補正３】
【補正対象書類名】明細書
【補正対象項目名】００１２
【補正方法】変更
【補正の内容】
【００１２】
また、この発明にかかるエレベーターの通話管理システムは、上記の発明において、前記通話要求通知は、前記通話要求の操作がされた日時に関する情報を含むことを特徴とする。
また、この発明にかかる通話管理システムは、エレベーターのカゴに設けられたインターフォンの通話要求の操作がされた場合、当該エレベーターの制御基板または当該制御基板と通信をおこなう遠隔監視支援装置が、当該通話要求の操作がされたエレベーターの識別情報を含む通話要求通知を管理サーバコンピュータに送信し、前記管理サーバコンピュータが、前記通話要求通知を受信した場合、当該通話要求通知に基づいて、通話要求に応対する入力操作を要求する入力要求を出力し、前記入力要求を出力することにより、当該入力要求の出力先の端末装置が、前記通話要求通知の送信元を特定する情報および当該通話要求通知の送信元に対する架電の開始を指示する指示キーを表示する、ことを特徴とする。
また、この発明にかかる通話管理システムは、上記の発明において、前記通話要求通知の送信元を特定する情報と、当該通話要求通知の送信元に対する架電の開始を指示する指示キーと、を同一のウインドウ内に表示することを特徴とする。
また、この発明にかかる通話管理システムは、上記の発明において、前記通話要求通知の時刻に関する情報と、前記通話要求通知の送信元に対する架電の開始を指示する指示キーと、を同一のウインドウ内に表示することを特徴とする。
また、この発明にかかる通話管理システムは、上記の発明において、エレベーターのカゴに設けられたインターフォンの通話要求の操作がされた場合、当該エレベーターの制御基板または当該制御基板と通信をおこなう遠隔監視支援装置が、当該通話要求の操作がされたエレベーターの識別情報を含む通話要求通知を管理サーバコンピュータに送信し、前記管理サーバコンピュータが、前記通話要求通知を受信した場合、当該通話要求通知に基づいて、通話要求に応対する入力操作を要求する入力要求を出力し、前記入力要求を出力することにより、当該入力要求の出力先の端末装置が、前記通話要求通知の送信元に対する架電の開始を指示する指示キーを、入力要求ごと別々のウインドウに表示する、ことを特徴とする。
また、この発明にかかる通話管理ブログラムは、エレベーターの制御基板または当該制御基板と通信をおこなう遠隔監視支援装置に、前記エレベーターのカゴに設けられたインターフォンの通話要求の操作がされた場合、当該通話要求の操作がされたエレベーターの識別情報を含む通話要求通知を管理サーバコンピュータに送信させ、前記管理サーバコンピュータに、前記通話要求通知を受信した場合、当該通話要求通知に基づいて、通話要求に応対する入力操作を要求する入力要求を出力させ、前記入力要求の出力先の端末装置に、前記管理サーバコンピュータが前記入力要求を出力することにより、前記通話要求通知の送信元を特定する情報および当該通話要求通知の送信元に対する架電の開始を指示する指示キーを表示させる、処理を実行させることを特徴とする。
また、この発明にかかる通話管理プログラムは、エレベーターの制御基板または当該制御基板と通信をおこなう遠隔監視支援装置に、前記エレベーターのカゴに設けられたインターフォンの通話要求の操作がされた場合、当該通話要求の操作がされたエレベーターの識別情報を含む通話要求通知を管理サーバコンピュータに送信させ、前記管理サーバコンピュータに、前記通話要求通知を受信した場合、当該通話要求通知に基づいて、通話要求に応対する入力操作を要求する入力要求を出力させ、前記入力要求の出力先の端末装置に、前記管理サーバコンピュータが前記入力要求を出力することにより、前記通話要求通知の送信元に対する架電の開始を指示する指示キーを、入力要求ごと別々のウインドウに表示させる、処理を実行させることを特徴とする。